(57)【要約】 【課題】  異なる解像度の映像コンテンツを映像途切れや乱れの発生を防いで再生可能な映像再生装置及び映像再生方法を提供する。【解決手段】  映像再生装置１０は、異なる解像度の映像コンテンツを復調するデコーダ部１４と、デコーダ部１４が復調した映像コンテンツに所定の画像処理を施して出力し、デコーダ部１４における異なる解像度の映像コンテンツの映像処理に要する期間は、内部で生成する映像を出力する画像処理部１６と、を備える。【選択図】  図１
2009038616.tif 000002
【特許請求の範囲】
【請求項１】
異なる解像度の映像コンテンツを復調するデコーダ部と、
前記デコーダ部が復調した映像コンテンツに所定の画像処理を施して出力し、前記デコーダ部における異なる解像度の映像コンテンツの映像処理に要する期間は、内部で生成する映像を出力する画像処理部と、
を備える、ことを特徴とする映像再生装置。
【請求項２】
異なる解像度の映像コンテンツを復調するステップと、
復調した映像コンテンツに所定の画像処理を施して出力し、異なる解像度の映像コンテンツの映像処理に要する期間は、内部で生成する映像を出力するステップと、
を備える、ことを特徴とする映像再生方法。
【発明の詳細な説明】
【技術分野】
【０００１】
本発明は、異なる解像度の映像を再生する技術に関する。
【背景技術】
【０００２】
近年、パッケージメディアの高密度化及びデータ伝送技術の高速度化に伴い映像コンテンツの解像度は、ＳＤ（Standard Definition：標準精細）からＨＤ（High Definition：高精細）に移行している。ここで、ＳＤは、ＤＶＤ（Digital Versatile Disc）や通常放送などの４８０ｉ（interlace）／５７６ｉといった解像度であり、ＨＤは、次世代メディアやデジタル放送などの７２０ｐ（progressive）、１０８０ｉ等の解像度をいう。
【０００３】
このような状況下、映像コンテンツとしてＳＤ映像とＨＤ映像が混在して記録または放送されるようになってきた。ここで、図４及び図５を用いて従来の映像再生装置におけるＳＤ及びＨＤ映像コンテンツの再生に関して説明する。
【０００４】
図４は一般的な映像再生装置における画像処理部１００の構成を示したものである。画像処理部１００に入力された映像信号は画像処理回路１０１により解像度変換や画質調整を施された後、出力される。垂直同期信号は一旦内部に取り込まれた後、第１のＰＬＬ（Phase-Locked Loop）回路１０２で入力された信号と同期を取った形で出力される。また映像信号は第２のＰＬＬ回路１０３で垂直同期出力信号と同期を取ったタイミングで出力される。画像処理部１００に入力された図示しない水平同期信号は映像データを取り込むために使用され、画像処理部１００で設定された解像度に合わせた周波数に変換され出力される。
【０００５】
図５は、図４に示す構成の画像処理部１００において、出力解像度の設定がＨＤ解像度のときに再生している映像コンテンツが、ＳＤ映像からＨＤ映像に切り替わった場合の各種信号タイミングを示す。
【０００６】
通常、デコード処理では映像コンテンツの解像度が変更されている間、映像信号に関しては不定なデータが出力され、同期信号に関しては解像度変更後の信号が安定するまで一定期間出力停止される。このような映像信号及び同期信号が画像処理部に入力された場合、同期信号（特に垂直同期信号）が一定期間停止しているため、出力信号も同期して停止し、さらに映像信号としては不定なデータが出力される。このように同期信号が一定期間出力されないことで映像途切れや乱れが発生する。
【０００７】
一般的なＳＤ及びＨＤ映像信号の切替方法として、ＳＤ映像コンテンツとＨＤ映像コンテンツがそれぞれ映像ソースとして入力されている状態で、それぞれの映像コンテンツの同期を取って切り替える方法がある（例えば、特許文献１参照）。しかし、１つの映像ソースの中でＳＤとＨＤの２つの異なる解像度をもつ場合、前述のようにＳＤ映像コンテンツとＨＤ映像コンテンツの同期を事前にとることはできない。
【０００８】
【特許文献１】特開２００１−１４５０２号公報
【発明の開示】
【発明が解決しようとする課題】
【０００９】
上述したように、従来の技術では、映像コンテンツの解像度が変更された場合、デコード処理及び画像処理部からの映像及び同期信号が途切れ、その信号がそのまま出力されるために映像途切れや乱れが発生するという問題点があった。本発明は、このような従来技術における問題点を解決することを目的とする。
【課題を解決するための手段】
【００１０】
上記目的を達成するため、本発明の第１の態様における映像再生装置は、
異なる解像度の映像コンテンツを復調するデコーダ部と、
前記デコーダ部が復調した映像コンテンツに所定の画像処理を施して出力し、前記デコーダ部における異なる解像度の映像コンテンツの映像処理に要する期間は、内部で生成する映像を出力する画像処理部と、
を備える。
【００１１】
上記目的を達成するため、本発明の第２の態様における映像再生方法は、
異なる解像度の映像コンテンツを復調するステップと、
復調した映像コンテンツに所定の画像処理を施して出力し、異なる解像度の映像コンテンツの映像処理に要する期間は、内部で生成する映像を出力するステップと、
を備える。
【発明の効果】
【００１２】
本発明によれば、異なる解像度の映像コンテンツを映像途切れや乱れの発生を防いで再生可能な映像再生装置及び映像再生方法が提供される。
【発明を実施するための最良の形態】
【００１３】
本発明に係る実施例について、以下、図面を参照して詳細に説明する。
図１に本発明の一実施例に係る映像再生装置１０のブロック図を示す。図１に示す映像再生装置１０は、記憶部１２と、デコーダ部１４と、画像処理部１６と、制御部１８と、を備える。
【００１４】
記憶部１２はＳＤ映像コンテンツ及びＨＤ映像コンテンツを記憶する。記憶部１２は、ハードディスク等の内蔵記憶媒体、及び、記憶媒体に記憶された映像コンテンツの再生を行うドライブ（いずれも図示せず）を備える。記憶部１２は、光ディスク等の可搬型記憶媒体から映像コンテンツを再生してもよい。
【００１５】
記憶部１２に記憶される映像コンテンツは、ＭＰＥＧ（Moving Picture Experts Group）等のデジタルフォーマットで記憶される。ここで、例えば、ＳＤ映像コンテンツは、４８０ｉ／５７６ｉといった解像度（ビットストリーム）で、ＨＤ映像コンテンツは、７２０ｐ、１０８０ｉ等の解像度で保存される。
【００１６】
デコーダ部１４は、記憶部１２から読み出された映像コンテンツを、一旦ビデオバッファ部１５に格納する。次いで、ビデオバッファ部１５に格納された映像コンテンツを順次読み出し、映像信号及び同期信号を復調して出力する。
【００１７】
画像処理部１６には、デコーダ部１４で復調された映像信号及び同期信号が入力される。画像処理部１６は、入力された映像データをフレームバッファ部１７に一旦格納し、解像度変換及び画質調整を施して出力する。画像処理部１６は、画像処理した映像信号及び同期信号をインタフェース部１９に出力する。インタフェース部１９は、所定形式の接続インタフェースを構成し、外部の映像表示装置等に出力する。勿論、映像再生装置１０の本体にディスプレイを備え、インタフェース部１９を介することなく、当該ディスプレイに直接出力、表示可能としてもよい。
【００１８】
制御部１８は、上記構成の映像再生装置１０を統括的に制御する。
制御部１８は、以下で詳述するように、映像コンテンツの切替により解像度変更が発生したとき、画像処理部１６に対して、画像処理部１６からの映像及び同期信号出力を内部で生成した映像信号に切り替えさせるための切替信号を発生する。
【００１９】
図２に、図１に示す画像処理部１６の構成を示すブロック図を示す。図に示すように、画像処理部１６は、画像処理回路２０と、映像生成部２２と、極性反転回路２４と、同期信号検出回路２６と、出力切替制御回路２８と、を備える。
【００２０】
画像処理回路２０は、映像入力信号について解像度変更や画質調整を施し、映像切り替えスイッチ３０に出力する。
【００２１】
映像生成部２２は、以下で詳述するように、映像コンテンツの解像度が変更されたときに一時的に出力する映像を生成する。映像生成部２２が生成した映像信号は、画像処理回路２０により所定の映像処理が施され、映像切り替えスイッチ３０に出力される。映像生成部２２は、例えば、映像コンテンツの解像度変更内容を表示したり、切り替え前の映像を保持して表示する映像を生成する。映像生成部２２が生成する映像は、ユーザが映像コンテンツの切り替えの際に違和感を感じないものであれば、いかなるものであってもよい。
【００２２】
極性反転回路２４は、垂直同期入力信号を一旦に取り込み、制御部１８が映像コンテンツの切替により解像度変更が発生したときに発生する入力解像度情報に応じて、画像処理回路２０からの出力解像度と同じ極性に変換する。極性反転回路２４を通った同期信号は、そのまま同期切り替えスイッチ３２、又は、同期信号遅延回路３４により一定期間遅延されて同期切り替えスイッチ３２に供給される。
【００２３】
同期信号検出回路２６は、極性反転回路２４を通った垂直同期入力信号の入力の有無を検出し、その結果を出力する。
【００２４】
出力切替制御回路２８は、制御部１８からの切替信号と同期信号検出回路２６からの出力信号、極性反転回路２４を通った垂直同期入力信号及び画像処理部１６から出力される垂直同期出力信号に応じて、同期切り替えスイッチ３２及び映像切り替えスイッチ３０を同時に、内部で生成した映像信号及び同期信号遅延回路３４により一定期間遅延させた同期信号の選択に切り替える。同期切り替えスイッチ３２で切り替えられた垂直同期信号はそのまま垂直同期出力信号として出力される。
映像信号はこの垂直同期出力信号とＰＬＬ回路３６で同期を取ったタイミングで映像切り替えスイッチ３０で切り替えられたものがそのまま出力される。
【００２５】
図３に、本実施例における画像処理部１６の切替制御シーケンスを説明するタイミングチャートを示す。以下に示す例では解像度変更前の映像コンテンツをＳＤ映像、変更後の映像コンテンツをＨＤ映像とし、画像処理部１６で出力設定されている解像度はＨＤ映像（解像度）に固定した場合に関して説明する。
【００２６】
映像コンテンツの解像度変更前は、画像処理部１６からは、外部からの垂直同期入力信号と同期が取られた垂直同期信号、及び、外部からの映像入力信号に対して画像処理された映像信号が出力される。
【００２７】
映像コンテンツの切替により解像度変更が発生したとき、制御部１８は、画像処理部１６に対して、事前に画像処理部１６からの映像及び同期信号出力を内部で生成した映像信号に切り替えさせるための切替信号を発生する。
制御部１８は、デコーダ部１４から映像コンテンツ情報を取得することにより、解像度変更を検出する。
【００２８】
画像処理部１６はこの切替信号を受けたとき、極性反転回路２４を通った垂直同期入力信号及び出力している垂直同期出力信号の全てがブランキング期間のタイミングでかつ出力している水平同期信号がブランキング期間のタイミングで、同期切り替えスイッチ３２及び映像切り替えスイッチ３０を同時に、映像生成部２２が生成した映像信号の選択に切り替える。
【００２９】
切り替え後、画像処理部１６から出力される垂直同期出力信号は同期信号遅延回路３４で遅延された信号、または、出力される映像信号は映像生成部２２が生成した映像となる。このとき、出力される映像は、例えば映像コンテンツの解像度変更内容を示す表示や、切り替え前の映像から構成される。切り替え時間は多くとも数秒であり、その分遅延させればよい。
【００３０】
その後、解像度変更によりデコーダ部１４から出力される映像及び同期信号は一旦途切れる。しかし、画像処理部１６は、前述の映像生成部２２からの映像及び同期信号遅延回路３４で遅延させた同期信号を出力し続ける。
【００３１】
その後、デコーダ部１４から再び映像及び同期信号が出力されると、同期信号検出回路２６にて垂直同期入力信号が検出される。この検出信号をトリガにして出力切替制御回路２８は、前述の切り替えタイミングで同期切り替えスイッチ３２及び映像切り替えスイッチ３０を内部の映像信号から外部入力された信号へ切り替える。これにより、画像処理部１６からの映像出力が元のデコーダ部１４からの出力に戻る。
【００３２】
以上説明したように上記実施例に係る映像再生装置１０によれば、再生している映像コンテンツの解像度が変更されたとき（例えばＳＤ映像からＨＤ映像に変更されたとき）、デコーダ部１４から出力される映像及び同期信号が途切れたとしても、この期間に画像処理部１６で内部生成した映像及び同期信号遅延回路３４により一定期間遅延させた同期信号を出力し続ける。これにより、映像再生装置１０からの最終的な出力において映像途切れや乱れを起こさないことができる。
【図面の簡単な説明】
【００３３】
【図１】本発明の一実施例にかかる映像再生装置の構成を示すブロック図である。
【図２】本発明の一実施例にかかる映像再生装置の画像処理部の構成を示すブロック図である。
【図３】本発明の一実施例にかかる映像再生装置の映像切り替え時の動作を示すタイミングチャートを示す図である。
【図４】従来の画像処理回路の構成を示すブロック図である。
【図５】従来の画像処理における映像切り替え時の動作を示すタイミングチャートを示す図である。
【符号の説明】
【００３４】
１０：映像再生装置、１２：記憶部、１４：デコーダ部、１６：画像処理部、１８：制御部、１６：画像処理部、２０：画像処理回路、２２：映像生成部、２４：極性反転回路、２６：同期信号検出回路、２８：出力切替制御回路
【図１】
2009038616.tif 000003
【図２】
2009038616.tif 000004
【図３】
2009038616.tif 000005
【図４】
2009038616.tif 000006
【図５】
2009038616.tif 000007